(57)【要約】【課題】苗載台の収納状態への切り換えを簡単に行えるようにすることにある。【解決手段】苗載台１５を主苗載部１５Ａと分割苗載部１５Ｂとの分割構造とし、主苗載部１５Ａに対する分割苗載部１５Ｂの左右摺動と上下揺動とを許容する状態に主苗載部１５Ａと分割苗載部１５Ｂとを連結する連結機構３４を備えて、苗載台１５を、主苗載部１５Ａと分割苗載部１５Ｂとを左右に連接した作業状態と、主苗載部１５Ａの上方に分割苗載部１５Ｂを重ねた収納状態とに切り換え可能にし、分割苗載部１５Ｂを収納位置に位置させるための分割苗載部１５Ｂの適正揺動支点位置Ｐ１と適正揺動操作位置Ｐ２を設定し、適正揺動支点位置Ｐ１が主苗載部１５Ａの分割端よりも機体横外側に位置する状態に連結機構３４を構成し、連結機構３４に、分割苗載部１５Ｂが適正揺動操作位置Ｐ２に到達する以前からの分割苗載部１５Ｂの揺動変位を許容する揺動許容手段８０を備えた。【選択図】図９
2013208099.tif 000002
【特許請求の範囲】
【請求項１】
苗載台を主苗載部と分割苗載部とに左右に分割可能に構成し、前記主苗載部に対する前記分割苗載部の左右方向への摺動変位と上下方向への揺動変位とを許容する状態に前記主苗載部と前記分割苗載部とを連結する連結機構を備えて、前記苗載台を、前記主苗載部と前記分割苗載部とを左右に連接した作業状態と、前記主苗載部の苗載面の上方に前記分割苗載部を重ねた収納状態とに切り換え可能な分割収納式に構成した田植機の苗載台分割構造において、
前記分割苗載部を所定の収納位置に位置させるための前記分割苗載部の適正揺動支点位置と適正揺動操作位置とを設定し、
前記適正揺動支点位置が前記主苗載部の分割端よりも機体横外側に位置する状態に前記連結機構を構成し、
前記連結機構に、前記分割苗載部が前記適正揺動操作位置に到達する以前からの前記分割苗載部の揺動変位を許容する揺動許容手段を備えた田植機の苗載台分割構造。
【請求項２】
前記連結機構に、前記分割苗載部が前記主苗載部に連接する連接位置から前記連接位置と前記適正揺動操作位置との間に設定した揺動許容位置に到達するまでの間において前記分割苗載部の揺動変位を阻止する揺動規制手段を備えた請求項１に記載の田植機の苗載台分割構造。
【請求項３】
前記連結機構に、前記主苗載部に固定した固定部材と、一端部に前記分割苗載部を連結した可動部材とを備え、前記固定部材に対する前記可動部材の左右摺動により前記分割苗載部が左右方向に摺動変位し、かつ、前記固定部材に対する前記可動部材の支軸を支点にした起伏揺動により前記分割苗載部が上下方向に揺動変位するように前記連結機構を構成し、
前記固定部材に、前記可動部材の左右摺動を許容する状態で前記可動部材の倒伏方向下手側から前記可動部材を受け止め支持する支持部を形成し、
前記固定部材における前記適正揺動支点位置の対応箇所に前記支軸を配備し、かつ、前記可動部材に前記支軸との当接により前記可動部材の機体横外方への摺動を制限する当接部を備え、
前記分割苗載部が前記揺動許容位置に位置するときの前記支軸の中心位置に対応する前記可動部材の摺動方向での所定箇所を境界位置に設定して、前記可動部材における前記境界位置から分割苗載部側の部分に前記支持部により受け止め支持される被支持部を形成することにより前記揺動規制手段を構成し、かつ、前記可動部材における前記境界位置から主苗載部側の部分に前記支持部との間に隙間を確保して前記可動部材の起伏揺動を許容する切欠部を形成することにより前記揺動許容手段を構成した請求項２に記載の田植機の苗載台分割構造。
【請求項４】
前記連結機構に、前記分割苗載部が前記適正揺動操作位置に到達する以前での前記分割苗載部の前記収納位置に向けた揺動変位に伴って、前記分割苗載部が前記適正揺動操作位置に到達した状態が得られるように前記分割苗載部を摺動案内する案内手段を備えた請求項１〜３のいずれか一つに記載の田植機の苗載台分割構造。
【請求項５】
前記連結機構に、前記分割苗載部が前記適正揺動操作位置に到達するのに伴って、前記分割苗載部を前記適正揺動操作位置に保持する保持手段を備えた請求項１〜４のいずれか一つに記載の田植機の苗載台分割構造。
【請求項６】
前記連結機構に、前記分割苗載部の機体横外方への摺動変位に伴って、前記苗載台を左右方向に移動可能に支持する支持部材から離れる方向に前記分割苗載部を変位させる変位操作手段を備えた請求項１〜５のいずれか一つに記載の田植機の苗載台分割構造。
【発明の詳細な説明】
【技術分野】
【０００１】
本発明は、苗載台を主苗載部と分割苗載部とに左右に分割可能に構成し、前記主苗載部に対する前記分割苗載部の左右方向への摺動変位と上下方向への揺動変位とを許容する状態に前記主苗載部と前記分割苗載部とを連結する連結機構を備えて、前記苗載台を、前記主苗載部と前記分割苗載部とを左右に連接した作業状態と、前記主苗載部の苗載面の上方に前記分割苗載部を重ねた収納状態とに切り換え可能な分割収納式に構成した田植機の苗載台分割構造に関する。
【背景技術】
【０００２】
上記のような田植機の苗載台分割構造としては、連結機構を、機体横外側の摺動限界位置まで分割苗載部（分割苗載せ台）を摺動変位させることにより、分割苗載部の上下方向への揺動変位が可能になり、その摺動限界位置にて分割苗載部を上方に揺動変位させることにより、苗載台を収納状態に切り換えられるように構成したものがある（例えば特許文献１参照）。
【先行技術文献】
【特許文献】
【０００３】
【特許文献１】特開２００１−１６９２８号公報
【発明の概要】
【発明が解決しようとする課題】
【０００４】
上記の構成では、機体横外側の摺動限界位置まで分割苗載部を摺動変位させない限り、分割苗載部を上方に揺動変位させることができないことから、苗載台の収納状態への切り換え操作が行い難くなっており、苗載台を収納状態に切り換える際の操作性の面において改善の余地があった。
【０００５】
本発明の目的は、苗載台の収納状態への切り換えを簡単に行えるようにすることにある。
【課題を解決するための手段】
【０００６】
本発明の請求項１に係る発明は、苗載台を主苗載部と分割苗載部とに左右に分割可能に構成し、前記主苗載部に対する前記分割苗載部の左右方向への摺動変位と上下方向への揺動変位とを許容する状態に前記主苗載部と前記分割苗載部とを連結する連結機構を備えて、前記苗載台を、前記主苗載部と前記分割苗載部とを左右に連接した作業状態と、前記主苗載部の苗載面の上方に前記分割苗載部を重ねた収納状態とに切り換え可能な分割収納式に構成した田植機の苗載台分割構造において、
前記分割苗載部を所定の収納位置に位置させるための前記分割苗載部の適正揺動支点位置と適正揺動操作位置とを設定し、
前記適正揺動支点位置が前記主苗載部の分割端よりも機体横外側に位置する状態に前記連結機構を構成し、
前記連結機構に、前記分割苗載部が前記適正揺動操作位置に到達する以前からの前記分割苗載部の揺動変位を許容する揺動許容手段を備えた。
【０００７】
上記の発明では、適正揺動支点位置が主苗載部の分割端よりも機体横外側に位置することにより、分割苗載部を揺動変位によって収納位置に位置させる際に連結機構が主苗載部に干渉し難くなる。そのため、分割苗載部の収納位置をより主苗載部側に寄せた位置に設定することができ、収納状態での苗載台の左右幅をより小さくすることができる。
【０００８】
又、苗載台を作業状態から収納状態に切り換えるときには、分割苗載部を適正揺動操作位置まで確実に摺動変位させなくても、適正揺動操作位置に到達する前の段階から分割苗載部を収納位置に向けて揺動変位させることができる。つまり、分割苗載部の摺動操作と揺動操作とが完全に区切られた２段階操作ではなく、分割苗載部の摺動操作から揺動操作への移行を円滑に行える一連の操作で分割苗載部を収納位置に向けて移動させることができ、これにより、苗載台を作業状態から収納状態に切り換える際の操作性を向上させることができる。
【０００９】
従って、苗載台の収納状態での左右幅を狭くしながら、苗載台の作業状態から収納状態への切り換えを、主苗載部に連結機構を干渉させることなく簡便に行うことができる。
【００１０】
本発明の請求項２に係る発明は、上記請求項１に記載の発明において、
前記連結機構に、前記分割苗載部が前記主苗載部に連接する連接位置から前記連接位置と前記適正揺動操作位置との間に設定した揺動許容位置に到達するまでの間において前記分割苗載部の揺動変位を阻止する揺動規制手段を備えた。
【００１１】
上記の発明では、可動部材の揺動許容位置を、分割苗載部が適正揺動操作位置に到達する以前の分割苗載部の揺動変位によって分割苗載部が主苗載部などに接触する虞のない位置に設定しておけば、苗載台を作業状態から収納状態に切り換える際の操作性を向上させながら、その切り換えの際に分割苗載部が主苗載部などに接触することに起因した損傷を未然に回避することができる。
【００１２】
本発明の請求項３に係る発明は、上記請求項２に記載の発明において、
前記連結機構に、前記主苗載部に固定した固定部材と、一端部に前記分割苗載部を連結した可動部材とを備え、前記固定部材に対する前記可動部材の左右摺動により前記分割苗載部が左右方向に摺動変位し、かつ、前記固定部材に対する前記可動部材の支軸を支点にした起伏揺動により前記分割苗載部が上下方向に揺動変位するように前記連結機構を構成し、
前記固定部材に、前記可動部材の左右摺動を許容する状態で前記可動部材の倒伏方向下手側から前記可動部材を受け止め支持する支持部を形成し、
前記固定部材における前記適正揺動支点位置の対応箇所に前記支軸を配備し、かつ、前記可動部材に前記支軸との当接により前記可動部材の機体横外方への摺動を制限する当接部を備え、
前記分割苗載部が前記揺動許容位置に位置するときの前記支軸の中心位置に対応する前記可動部材の摺動方向での所定箇所を境界位置に設定して、前記可動部材における前記境界位置から分割苗載部側の部分に前記支持部により受け止め支持される被支持部を形成することにより前記揺動規制手段を構成し、かつ、前記可動部材における前記境界位置から主苗載部側の部分に前記支持部との間に隙間を確保して前記可動部材の起伏揺動を許容する切欠部を形成することにより前記揺動許容手段を構成した。
【００１３】
上記の発明では、可動部材の境界位置を適切に設定することにより、苗載台を作業状態から収納状態に切り換える際に分割苗載部が主苗載部などに接触することに起因した損傷を未然に回避することができる。
【００１４】
又、境界位置を基準にして被支持部及び切欠部を形成するだけで揺動規制手段及び揺動許容手段を構成できることから、部品点数の削減や構成の簡素化などを図ることができる。
【００１５】
従って、部品点数の削減や構成の簡素化などを図りながら、苗載台の作業状態から収納状態への切り換えを、主苗載部に分割苗載部を干渉させることなく簡便に行うことができる。
【００１６】
本発明の請求項４に係る発明は、上記請求項１〜３のいずれか一つに記載の発明において、
前記連結機構に、前記分割苗載部が前記適正揺動操作位置に到達する以前での前記分割苗載部の前記収納位置に向けた揺動変位に伴って、前記分割苗載部が前記適正揺動操作位置に到達した状態が得られるように前記分割苗載部を摺動案内する案内手段を備えた。
【００１７】
上記の発明では、分割苗載部の摺動操作から揺動操作への移行を円滑に行える一連の操作で分割苗載部を収納位置に向けて移動させることができるだけでなく、この一連の操作の完了とともに苗載台を確実に収納位置に位置させることができる。
【００１８】
従って、苗載台の作業状態から収納状態への切り換えを、より簡便にしながら切り換え操作の確実性を高めることができる。
【００１９】
本発明の請求項５に係る発明は、上記請求項１〜４のいずれか一つに記載の発明において、
前記連結機構に、前記分割苗載部が前記適正揺動操作位置に到達するのに伴って、前記分割苗載部を前記適正揺動操作位置に保持する保持手段を備えた。
【００２０】
上記の発明では、分割苗載部を適正揺動操作位置に位置させた状態での揺動操作において、分割苗載部が不測に適正揺動操作位置から摺動変位する虞を招き難くすることができる。
【００２１】
従って、苗載台の作業状態から収納状態への切り換えを更に簡便にすることができる。
【００２２】
本発明の請求項６に係る発明は、上記請求項１〜５のいずれか一つに記載の発明において、
前記連結機構に、前記分割苗載部の機体横外方への摺動変位に伴って、前記苗載台を左右方向に移動可能に支持する支持部材から離れる方向に前記分割苗載部を変位させる変位操作手段を備えた。
【００２３】
上記の発明では、分割苗載部を揺動変位させる段階では、分割苗載部が支持部材から離れていることから操作が軽くなる。
【００２４】
従って、苗載台の作業状態から収納状態への切り換えをより円滑に行うことができる。
【図面の簡単な説明】
【００２５】
【図１】乗用田植機の全体左側面図である。
【図２】苗植付装置の左側面図である。
【図３】苗植付装置の平面図である。
【図４】苗植付装置の正面図である。
【図５】苗載台を左ストローク端に位置させた状態を示す苗植付装置の分割苗載部側の正面図である。
【図６】分割苗載部の分離状態を示す苗植付装置の分割苗載部側の正面図である。
【図７】苗載台の収納状態を示す苗植付装置の分割苗載部側の正面図である。
【図８】苗載台の収納状態を示す苗植付装置の左側面図である。
【図９】苗載台の作業状態（ａ）と収納状態（ｂ）を示す苗載台の分割苗載部側の横断底面図である。
【図１０】分割苗載部の連接位置での位置決め状態（ａ）と収納位置での位置決め状態（ｂ）を示す苗載台の分割苗載部側の横断底面図である。
【図１１】分割苗載部を揺動許容位置に位置させた状態での連結機構の動作状態を示す要部の横断底面図である。
【図１２】分割苗載部を揺動許容位置で揺動変位させた状態での連結機構の動作状態を示す要部の横断底面図である。
【図１３】分割苗載部を連接位置に位置させた状態での連結機構の動作状態（ａ）と分割苗載部を適正揺動操作位置に位置させた状態での連結機構の動作状態（ｂ）を示す連結機構の一部切り欠き正面図である。
【図１４】主苗載部の分割端を示す主苗載部の左側面図である。
【図１５】分割苗載部の分割端を示す主苗載部の右側面図である。
【図１６】下側のロック機構の構成を示す要部の右側面図である。
【図１７】上側のロック機構の構成を示す要部の右側面図である。
【図１８】下側のロック機構の作業状態と収納状態での動作を示す要部の右側面図である。
【図１９】上側のロック機構の作業状態と収納状態での動作を示す要部の右側面図である。
【図２０】ロック機構のロック解除状態（ａ）とロック状態（ｂ）を示す要部の横断底面図である。
【図２１】クッションゴムの非作用状態（ａ）と作用状態（ｂ）を示す要部の横断底面図である。
【図２２】扁平軸を使用した揺動許容手段の別実施形態を示す要部の一部横断平面図である。
【図２３】上部扁平軸を使用した揺動許容手段の別実施形態を示す要部の一部横断平面図である。
【図２４】上部扁平軸を使用した揺動許容手段の別実施形態を示す要部の分解斜視図である。
【図２５】連結機構に保持手段を備えた別実施形態を示す要部の一部横断平面図である。
【図２６】上下の連結機構を平行四連リンクとして機能させた別実施形態での作業状態を示す分割苗載部側の正面図である。
【図２７】上下の連結機構を平行四連リンクとして機能させた別実施形態での収納状態を示す分割苗載部側の正面図である。
【発明を実施するための形態】
【００２６】
以下、本発明を実施するための形態の一例として、本発明に係る田植機の苗載台分割構造を、田植機の一例である乗用田植機に適用した第１実施形態を図面に基づいて説明する。
【００２７】
図１に示すように、本実施形態で例示する乗用田植機は、走行車体１の後部にリンク機構２を油圧式の昇降シリンダ３の作動で上下揺動するように連結し、このリンク機構２の後端下部に８条用の苗植付装置４をローリング可能に連結して８条植え用に構成している。
【００２８】
走行車体１は、車体フレーム５の前部に搭載したエンジン６からの動力を、主変速装置として備えた静油圧式無段変速装置（図示せず）、及び、トランスミッションケース（以下、Ｔ／Ｍケースと称する）７に副変速装置として内蔵したギア式変速装置（図示せず）、などを介して左右の前輪８及び左右の後輪９に伝達する４輪駆動型に構成している。エンジン６の後方には、前輪操舵用のステアリングホイール１０及び運転座席１１などを配備して搭乗運転部１２を形成している。走行車体１における前部の左右両横側方箇所には、４枚の予備苗を上下方向に所定間隔をあけて載置する予備苗載装置１３を立設している。
【００２９】
図１〜４に示すように、苗植付装置４は、リンク機構２に連結する動力分配ケース１４、８条分のマット状苗を載置することが可能な状態に８条分の苗載面１５ａを区画形成した苗載台１５、苗載台１５を一定ストロークで左右方向に往復移動させる横送り機構１６、苗載台１５が左右のストローク端に達するごとに苗載台上の各マット状苗を苗載台１５の下端に向けて所定ピッチで縦送りする縦送り機構１７、苗載台１５に載置した各マット状苗の下端から所定量ずつの苗を切り取って圃場の泥土部に植え付けることが可能な状態に左右方向に一定間隔をあけて配置した８基のロータリ式の植付機構１８、及び、走行車体１の走行に伴って圃場を滑走することにより苗植え付け予定箇所などの圃場泥面を整地する５つの整地フロート１９、などを植付フレーム２０に装備して最大８条の苗の植え付けを行えるように構成している。
【００３０】
動力分配ケース１４には、Ｔ／Ｍケース７が出力する植え付け作業用の動力を受け取って、横送り機構１６、縦送り機構１７、及び、各植付機構１８に分配供給する動力分配機構（図示せず）を内蔵している。
【００３１】
植付フレーム２０は、苗植付装置４の前下部に左右向きに配備した角パイプ状の主支持部材２１、苗載台１５の上部側を左右方向に往復移動可能な状態で支持するように主支持部材２１に前傾姿勢で立設した門型の苗載台支持フレーム２２、及び、左右方向に一定間隔をあけた状態で主支持部材２１から後方に向けて延出した支持部材兼用の４つの植付伝動ケース２３、などから構成している。
【００３２】
図１〜８に示すように、苗載台１５と植付フレーム２０との間には、苗植え付け作業時に、苗載面１５ａと交差する方向への苗載台１５の変位を阻止した状態で苗載台１５を左右方向に移動案内する上側ガイド機構２４と下側ガイド機構２５とを備えている。
【００３３】
上側ガイド機構２４は、苗載台１５における背面の上部側に苗載台１５の左右両端部にわたる左右向き姿勢で固定した断面形状が下向きＵ字状の上側摺接部材２６、苗載台支持フレーム２２の上端部に左右方向に所定間隔をあけた状態で苗載台１５の下部側部分に沿う前傾姿勢で配備した６本の支軸２７、及び、各支軸２７の上端部に相対回転可能に外嵌装備した６個のガイドローラ２８、などを備えている。そして、上側摺接部材２６の左右両端にわたる状態で上側摺接部材２６に備えた係合溝２６ａに各ガイドローラ２８が係入するように各ガイドローラ２８に対して上側摺接部材２６を上方から外嵌することにより、各ガイドローラ２８が上側摺接部材２６の苗載面１５ａと交差する方向への変位を阻止しながら左右方向への移動を許容する状態が得られるようにしている。これにより、上側ガイド機構２４を、苗植え付け作業時に苗載面１５ａと交差する方向への苗載台１５の変位を阻止しながら苗載台１５を左右方向に移動案内する状態に構成している。
【００３４】
下側ガイド機構２５は、苗載台１５における背面の下部側に苗載台１５の左右両端部にわたる左右向き姿勢で固定したアルミ押出材などからなる下側摺接部材２９、及び、下側摺接部材２９の下方からの受け止め支持が可能な左右向き姿勢で所定の植付伝動ケース２３に支持させたアルミ押出材などからなる摺動レール（支持部材）３０、などを備えている。摺動レール３０は、苗載台１５に載置したマット状苗の下端を受け止め支持し、かつ、下側摺接部材２９を受け止め支持する。又、左右方向に植付機構１８の配置間隔と同じ一定間隔をあけた所定位置に、各植付機構１８による苗の取り出しを可能にする８つの苗取出口３０ｃを形成している。下側摺接部材２９は、摺動レール３０によって苗縦送り方向の荷重と苗載面１５ａと交差する方向の荷重とが受け止められた状態で左右方向に摺動するように摺動レール３０に載置している。又、下側摺接部材２９には、摺動レール３０との当接により、下側摺接部材２９の苗載面１５ａと交差する方向での摺動レール３０からの浮き上がりを防止する浮上り防止板３１を連結装備している。これにより、下側ガイド機構２５を、苗植え付け作業時に苗載面１５ａと交差する方向への苗載台１５の変位を阻止しながら苗載台１５を左右方向に円滑に移動案内する状態に構成している。
【００３５】
図１〜１０に示すように、苗載台１５は、６条分の苗載面１５ａを区画形成した右側の主苗載部１５Ａと、２条分の苗載面１５ａを区画形成した左側の分割苗載部１５Ｂとに左右に分割可能な２分割構造に構成している。そして、主苗載部１５Ａと分割苗載部１５Ｂとを、主苗載部１５Ａに対する分割苗載部１５Ｂの左右方向への摺動変位と上下方向への揺動変位とを許容する状態に上下一対の連結機構３４を介して連結することにより、主苗載部１５Ａと分割苗載部１５Ｂとを左右に連接した作業状態と、作業状態よりも苗載台１５の左右幅を狭くした収納状態とに切り換え可能な分割収納式に構成している。
【００３６】
図２及び図４〜１３に示すように、各連結機構３４は、左右向き姿勢で主苗載部１５Ａの左端部から左外方に延出する状態に主苗載部１５Ａに固定した断面形状がコの字状の固定部材３５と、固定部材３５に左右方向への摺動が可能は状態で内嵌する左右向き姿勢で断面形状がコの字状の可動部材３６とを備えている。各固定部材３５は、その延出端部である左端部に苗載台１５の下部側部分に沿う前傾姿勢の支軸３７を装備している。各可動部材３６は、固定部材３５との連結側である右側部分に左右向きの長孔３６ａを形成している。又、その左端部に、苗載台１５の下部側部分に沿う前傾姿勢の支軸３８を介して分割苗載部１５Ｂを枢支連結している。そして、固定部材３５に装備する支軸３７を、可動部材３６に形成した上下の長孔３６ａに挿通して固定部材３５に固定することにより、固定部材３５に対する可動部材３６の左右摺動と支軸３７を支点にした起伏揺動とが可能な状態に固定部材３５と可動部材３６とを連結している。
【００３７】
これにより、各連結機構３４は、その固定部材３５に対する可動部材３６の左右摺動によって分割苗載部１５Ｂを左右方向に摺動変位させ、かつ、固定部材３５に対する可動部材３６の支軸３７を支点にした起伏揺動によって分割苗載部１５Ｂを上下方向に揺動変位させるように構成している。そして、この構成から、苗載台１５の収納状態では、分割苗載部１５Ｂが主苗載部１５Ａと平行な姿勢で主苗載部１５Ａの苗載面１５ａの上方に重なるように主苗載部側に寄せ上げられて所定の収納位置に位置する状態となり、これにより、作業状態よりも苗載台１５の左右幅を狭くすることができる。
【００３８】
各連結機構３４には、分割苗載部１５Ｂを所定の収納位置に位置させるための分割苗載部１５Ｂの適正揺動支点位置Ｐ１と適正揺動操作位置Ｐ２とを設定している。適正揺動支点位置Ｐ１は、主苗載部１５Ａの分割端よりも機体横外側の位置に設定してあり、この位置に連結機構３４の支軸３７を配備している。適正揺動操作位置Ｐ２は、支軸３７との当接により可動部材３６の左外方への摺動を制限する当接部ａである可動部材３６の各長孔３６ａの右端部ａが支軸３７に当接したときに得られる分割苗載部１５Ｂの左摺動限界位置に設定している。
【００３９】
つまり、主苗載部１５Ａに連接する分割苗載部１５Ｂを、可動部材３６の各長孔３６ａの右端部ａが支軸３７に当接する適正揺動操作位置Ｐ２まで左外方に摺動変位させた後、適正揺動支点位置Ｐ１に位置する支軸３７を支点にして上方に揺動変位させることにより、分割苗載部１５Ｂを所定の収納位置に位置させることができるように構成している。
【００４０】
図９〜１２に示すように、各連結機構３４には、分割苗載部１５Ｂが適正揺動操作位置Ｐ２に到達する以前からの分割苗載部１５Ｂの揺動変位を許容する揺動許容手段８０と、分割苗載部１５Ｂが主苗載部１５Ａに連接する連接位置Ｐ０から連接位置Ｐ０と適正揺動操作位置Ｐ２との間に設定した揺動許容位置Ｐ３に到達するまでの間において分割苗載部１５Ｂの揺動変位を阻止する揺動規制手段８１とを備えている。
【００４１】
各固定部材３５には、可動部材３６の左右摺動を許容する状態で可動部材３６の倒伏方向下手側から可動部材３６を受け止め支持する支持部３５Ａを形成している。
【００４２】
各連結機構３４においては、分割苗載部１５Ｂが揺動許容位置Ｐ３に位置するときの支軸３７の中心位置に対応する可動部材３６の摺動方向での所定箇所を境界位置Ｐａに設定して、可動部材３６における境界位置Ｐａから分割苗載部側の部分に支持部３５により受け止め支持される被支持部３６Ａを形成することにより揺動規制手段８１を構成している。又、可動部材３６における境界位置Ｐａから主苗載部側の部分に支持部３５Ａとの間に隙間を確保して可動部材３６の起伏揺動を許容する切欠部３６Ｂを形成することにより揺動許容手段８０を構成している。
【００４３】
上記の構成から、苗載台１５を作業状態から収納状態に切り換えるときには、分割苗載部１５Ｂを連結位置Ｐ０から適正揺動操作位置Ｐ２に確実に摺動変位させなくても、分割苗載部１５Ｂが揺動許容位置Ｐ３に到達した段階から分割苗載部１５Ｂを収納位置に向けて揺動変位させることができる。つまり、分割苗載部１５Ｂの摺動操作と揺動操作とが完全に区切られた２段階操作ではなく、分割苗載部１５Ｂの摺動操作から揺動操作への移行を円滑に行える一連の操作で分割苗載部１５Ｂを収納位置に向けて移動させることができ、これにより、苗載台１５を作業状態から収納状態に切り換える際の操作性を向上させることができる。
【００４４】
又、可動部材３６の境界位置Ｐａを、分割苗載部１５Ｂが適正揺動操作位置Ｐ２に到達する以前の分割苗載部１５Ｂの揺動変位によって分割苗載部１５Ｂが主苗載部１５Ａなどに接触する虞のない位置に設定しておけば、苗載台１５を作業状態から収納状態に切り換える際の操作性を向上させながら、その切り換えの際に分割苗載部１５Ｂが主苗載部１５Ａなどに接触することに起因した損傷を未然に回避することができる。
【００４５】
各連結機構３４には、分割苗載部１５Ｂが適正揺動操作位置Ｐ２に到達する以前での分割苗載部１５ｂの収納位置に向けた揺動変位に伴って、分割苗載部１５Ｂが適正揺動操作位置Ｐ２に到達した状態が得られるように分割苗載部１５Ｂを摺動案内する案内手段８３を備えている。案内手段８３は、可動部材３６の右端部において、分割苗載部１５ｂの収納位置への揺動変位に伴って固定部材３５の支持部３５Ａに摺接することにより、分割苗載部１５Ｂを適正揺動操作位置Ｐ２に向けて押し上げる状態に形成したカム３６Ｃにより構成している。
【００４６】
これにより、苗載台１５を作業状態から収納状態に切り換える際の操作性を向上させながら、苗載台１５を収納位置に確実に位置させることができる。
【００４７】
図４〜１０に示すように、苗載台１５の作業状態と収納状態との切り換えは、苗載台１５を左側のストローク端に位置させた状態で行い、収納状態では、分割苗載部１５Ｂの分割端に位置する苗載面１５ａが主苗載部１５Ａの分割端に位置する苗載面１５ａの上方に重なる状態で位置するように構成している。そのため、収納状態では、苗載台１５の左右幅を、作業状態よりも約１面分の苗載面１５ａの左右幅を減少させた状態にすることができる。
【００４８】
図１〜８及び図１３に示すように、苗載台１５に装備する上側ガイド機構２４の上側摺接部材２６及び下側ガイド機構２５の下側摺接部材２９は、苗載台１５と同様に、主苗載部１５Ａに装備する主被支持部２６Ａ，２９Ａと分割苗載部１５Ａに装備する分割被支持部２６Ｂ，２９Ｂとに分割可能な２分割構造に構成している。
【００４９】
そして、前述したように、苗載台１５の作業状態と収納状態との切り換えは、苗載台１５を左側のストローク端に位置させた状態で行い、又、分割苗載部１５Ｂの揺動変位は、分割苗載部１５Ｂを少なくとも揺動許容位置Ｐ３まで摺動変位させた後に行うように構成している。
【００５０】
そのため、上側摺接部材２６の分割被支持部２６Ｂは、苗載台１５を左側のストローク端に位置させて分割苗載部１５Ｂを揺動許容位置Ｐ３以上に摺動変位させた状態において、苗載面１５ａと交差する方向でガイドローラ２８と対向する箇所に、ガイドローラ２８の苗載面１５ａと交差する方向への相対変位を許容する切欠部２６ｂを形成している。
【００５１】
又、各連結機構３４の固定部材３５及び可動部材３６には、可動部材３６の固定部材３５から離れる左方への摺動に伴って、可動部材３６を苗縦送り方向と反対の方向に持ち上げる状態に摺動案内することにより、前述した浮上り防止板３１を摺動レール３０の第２支持部３０ｂから苗縦送り方向と反対の方向に離れさせて、浮上り防止板３１による下側摺接部材２９の苗載面１５ａと交差する方向での摺動レール３０からの浮き上がり防止を解除する乗り上がり傾斜面３５Ｃ，３６Ｃと、その浮き上がり防止の解除状態を維持する乗り上げ平坦面３５Ｄ，３６Ｄとを備えている。
【００５２】
つまり、上側摺接部材２６の分割被支持部２６Ｂに形成した切欠部２６ｂ、及び、各連結機構３４の固定部材３５及び可動部材３６に備えた乗り上げ平坦面３５Ｄ，３６Ｄにより、苗載台１５の作業状態と収納状態との切り換え時に分割苗載部１５Ｂの苗載面１５ａと交差する方向への変位を許容する変位許容部４０を構成している。又、各連結機構３４の乗り上がり傾斜面３５Ｃ，３６Ｃと乗り上げ平坦面３５Ｄ，３６Ｄにより、分割苗載部１５Ｂの機体横外方への摺動変位に伴って、苗載台１５を左右方向に移動可能に支持する摺動レール３０から離れる方向に分割苗載部１５Ｂを変位させる変位操作手段６０を構成している。
【００５３】
図５〜２０に示すように、主苗載部１５Ａの分割端には、その上部側に位置する第１接続部材４１と下部側に位置する第２接続部材４２とを備えている。分割苗載部１５Ｂの分割端には、その上部側に位置する第１接続部材４５と下部側に位置する第２接続部材４６とを備えている。
【００５４】
主苗載部１５Ａの第１接続部材４１には１つの位置決め孔４１ａを、第２接続部材４２には２つの位置決め孔４２ａ，４２ｂを形成している。分割苗載部１５Ｂの第１接続部材４５には、右方に突出する１つの位置決めピン４５ａを、第２接続部材４６には、右方に突出する２つの位置決めピン４６ａ，４６ｂを備えている。そして、主苗載部１５Ａの各位置決め孔４１ａ，４２ａ，４２ｂに分割苗載部１５Ｂの対応する位置決めピン４５ａ，４６ａ，４６ｂを挿通することにより、分割苗載部１５Ｂを、主苗載部１５Ａと左右に連接する状態となる所定の作業位置に位置決めすることができる。
【００５５】
又、分割苗載部１５Ｂの各接続部材４５，４６には、主苗載部１５Ａの分割端に位置する苗載面１５ａと分割苗載部１５Ｂの分割端に位置する苗載面１５ａとの作業状態での離間距離を、主苗載部１５Ａ及び分割苗載部１５Ｂのそれぞれにおける隣接する苗載面１５ａの離間距離と同じに維持する除下一対のスペーサ４５Ａ，４５Ｂ，４６Ａ，４６Ｂを備えている。
【００５６】
苗載台１５には、その作業状態において主苗載部１５Ａの第１接続部材４１と分割苗載部１５Ｂの第１接続部材４５とを連結する第１ロック機構５１、及び、主苗載部１５Ａの第２接続部材４２と分割苗載部１５Ｂの第２接続部材４６とを連結する第２ロック機構５２を備えている。
【００５７】
各ロック機構５１，５２は、主苗載部１５Ａ及び分割苗載部１５Ｂの表面側に作用して主苗載部１５Ａと分割苗載部１５Ｂとを左右に連接した状態に固定保持する表面側ロック具５３，５４と、主苗載部１５Ａ及び分割苗載部１５Ｂの裏面側に作用して主苗載部１５Ａと分割苗載部１５Ｂとを左右に連接した状態に固定保持する裏面側ロック具５５，５６とを、連結部材５７，５８により連動連結する状態に連結部材５７，５８に一体形成して構成している。
【００５８】
又、各ロック機構５１，５２は板バネからなり、各ロック具５３〜５６は断面Ｕ字状に屈曲形成している。そして、分割苗載部１５Ｂの対応する接続部材４５，４６に揺動操作可能に備えている。
【００５９】
第１ロック機構５１の表面側ロック具５３は、主苗載部１５Ａにおける第１接続部材４１の表面側に備えた被挟持部位４１Ａと、分割苗載部１５Ｂにおける第１接続部材４５の表面側に備えた被挟持部位としてのスペーサ４５Ａとを挟持して、主苗載部１５Ａの第１接続部材４１と分割苗載部１５Ｂの第１接続部材４５との表面側を接合保持した状態をロック状態とする挟持式に構成している。そして、表面側ロック具５３には操作部５３Ａを備えている。
【００６０】
第１ロック機構５１の裏面側ロック具５５は、主苗載部１５Ａにおける第１接続部材４１の裏面側に備えた被挟持部位４１Ｂと、分割苗載部１５Ｂにおける第１接続部材４５の裏面側に備えた被挟持部位としてのスペーサ４５Ｂとを挟持して、主苗載部１５Ａの第１接続部材４１と分割苗載部１５Ｂの第１接続部材４５との裏面側を接合保持した状態をロック状態とする挟持式に構成している。
【００６１】
そして、第１ロック機構５１の表面側ロック具５３及び裏面側ロック具５５は、表面側ロック具５３のロック位置への揺動操作に伴って裏面側ロック具５５がロック位置に揺動変位し、又、表面側ロック具５３のロック解除位置への揺動操作に伴って裏面側ロック具５５がロック解除位置に揺動変位するように構成している。
【００６２】
第２ロック機構５２の表面側ロック具５４は、主苗載部１５Ａにおける第２接続部材４２の表面側に備えた被挟持部位４２Ａと、分割苗載部１５Ｂにおける第２接続部材４６の表面側に備えた被挟持部位としてのスペーサ４６Ａとを挟持して、主苗載部１５Ａの第２接続部材４２と分割苗載部１５Ｂの第２接続部材４６との表面側を接合保持した状態をロック状態とする挟持式に構成している。そして、表面側ロック具５４には操作部５４Ａを備えている。
【００６３】
第２ロック機構５２の裏面側ロック具５６は、主苗載部１５Ａにおける第２接続部材４２の裏面側に備えた被挟持部位４２Ｂと、分割苗載部１５Ｂにおける第２接続部材４６の裏面側に備えた被挟持部位としてのスペーサ４６Ｂとを挟持して、主苗載部１５Ａの第２接続部材４２と分割苗載部１５Ｂの第２接続部材４６との裏面側を接合保持した状態をロック状態とする挟持式に構成している。
【００６４】
そして、第２ロック機構５２の表面側ロック具５４及び裏面側ロック具５６は、表面側ロック具５４のロック位置への揺動操作に伴って裏面側ロック具５６がロック位置に揺動変位し、又、表面側ロック具５４のロック解除位置への揺動操作に伴って裏面側ロック具５６がロック解除位置に揺動変位するように構成している。
【００６５】
主苗載部１５Ａ及び分割苗載部１５Ｂの各被挟持部位４１Ａ，４１Ｂ，４２Ａ，４２Ｂ，４５Ａ，４５Ｂ，４６Ａ，４６Ｂには、各被挟持部位４１Ａ，４１Ｂ，４２Ａ，４２Ｂ，４５Ａ，４５Ｂ，４６Ａ，４６Ｂから分割端の反対側の端部に向けて突出する挟持用の突部４１ｃ、４２ｃ、４５ｃ、４６ｃを備えている。
【００６６】
分割苗載部１５Ｂの各接続部材４５，４６には、対応する連結部材５７，５８の移動範囲内に位置して、対応する連結部材５７，５８の乗り越え移動により、連結部材５７，５８を、対応するロック機構５１，５２がロック状態となるロック位置と解除状態となる解除位置とに切り換え保持する位置決め用の突部４５ｄ、４６ｄを備えている。
【００６７】
主苗載部１５Ａにおける表面側の左端部には、分割苗載部１５Ｂの上部側を所定の収納位置にて受け止め支持する上側支持フレーム６１と、分割苗載部１５Ｂの下部側を所定の収納位置にて受け止め支持する下側支持フレーム６２とを立設している。
【００６８】
各支持フレーム６１，６２には、分割苗載部１５Ｂの分割端に接合可能で、各ロック機構５１，５２による分割苗載部１５Ｂの分割端との接合保持が可能な接合部６１Ａ，６２Ａを備えている。
【００６９】
そして、上側支持フレーム６１の接合部６１Ａには、苗載台１５の収納状態において、分割苗載部１５Ｂの第１接続部材４５に備えた位置決めピン４５ａが挿通される位置決め穴６１ａと、分割苗載部１５Ｂにおける第１接続部材４５の表面側に備えたスペーサ４５Ａに接合して、そのスペーサ４５Ａとの第１ロック機構５１の表面側ロック具５３による接合保持が可能になる被挟持部位６１ｂとを備えている。
【００７０】
又、下側支持フレーム６２の接合部６２Ａには、苗載台１５の収納状態において、分割苗載部１５Ｂの第２接続部材４６に備えた上側の位置決めピン４６ａが挿通される位置決め穴６２ａと、分割苗載部１５Ｂにおける第２接続部材４６の表面側に備えたスペーサ４６Ａに接合して、そのスペーサ４６Ａとの第２ロック機構５２の表面側ロック具５４による接合保持が可能になる被挟持部位６２ｂとを備えている。この被挟持部位６２ｂには、被挟持部位６２ｂから分割端の反対側の端部に向けて突出する挟持用の突部６２ｃを備えている。
【００７１】
図２、図８、図１４〜１６、図１８及び図２１に示すように、分割苗載部１５Ｂの裏面側に備える縦送り機構用の軸支部材７０には支持片７０Ａを屈曲形成している。そして、この支持片７０Ａには、分割苗載部１５Ｂが所定の収納位置に位置する状態において、下側支持フレーム６２に備えた受止部６２Ｂに圧接して分割苗載部１５Ｂの振動を抑制するクッションゴム７１を嵌め込み装着している。つまり、既存の部品を利用した防振構造により、部品点数の削減及び構成の簡素化などを図りながら、分割苗載部１５Ｂを所定の収納位置に振動を抑制した安定状態で位置させることができる。
【００７２】
ちなみに、この苗載台１５の分割構造において、苗載台１５の収納状態は、主苗載台１５Ａに分割苗載台１５Ｂを上側支持フレーム６１と下側支持フレーム６２とを介して載置固定するだけであることから、苗載台１５の収納状態での横送り機構１６による横送りが許容されている。そのため、誤操作などによって苗載台１５の収納状態での横送り機構１６による横送りが行われたとしても、その横送りによる苗載台１５などの破損を回避することができる。
【００７３】
図３〜７に示すように、下側ガイド機構２５の摺動レール３０は、苗載台１５の収納状態への切り換えによって狭くなる苗載台１５の左右幅に応じて、摺動レール３０の両端部を機体内側に折り畳み収納可能に構成している。具体的には、摺動レール３０は、収納状態に切り換えた苗載台１５の左右幅と略同じ長さで左右中央に位置する固定部３０Ａと左右両端の可動部３０Ｂとを備えている。そして、固定部３０Ａの左右両端部に左右の可動部３０Ｂを、固定部３０Ａに対する各可動部３０Ｂの左右方向への摺動変位と上下方向への揺動変位とを許容する状態に接続機構７６を介して接続することにより、固定部３０Ａと左右の可動部３０Ｂとを左右に連接した作業状態と、苗載台１５と同様に作業状態よりも左右幅を狭くした収納状態とに切り換え可能に構成している。
【００７４】
〔別実施形態〕
〔１〕苗載台１５としては、３分割に分割可能に構成したものであってもよい。
【００７５】
〔２〕図２２に示すように、連結機構３４の固定部材３５に装備する支軸３７に扁平軸を採用し、かつ、可動部材３６における上下の長孔３６ａを、その扁平軸３７の長径に対応する長径長孔部３６ａａと、扁平軸３７の短径に対応する小径長孔部３６ａｂとを有するように形成して、扁平軸３７と長孔３６ａの長径長孔部３６ａａとから揺動許容手段８０を構成し、かつ、扁平軸３７と長孔３６ａの短径長孔部３６ａｂとから揺動規制手段８１を構成するようにしてもよい。
【００７６】
〔３〕図２３及び図２４に示すように、連結機構３４の固定部材３５に装備する支軸３７に上部扁平軸を採用し、かつ、可動部材３６における上側の長孔３６ａを、その上部扁平軸３７の扁平部の長径に対応する長径長孔部３６ａａと、上部扁平軸３７の扁平部の短径に対応する小径長孔部３６ａｂとを有するように形成し、更に、可動部材３６における下側の長孔３６ａを、上部扁平軸３７の真円部に対応するように形成して、上部扁平軸３７の扁平部と上側の長孔３６ａの長径長孔部３６ａａとから揺動許容手段８０を構成し、かつ、上部扁平軸３７の扁平部と上側の長孔３６ａの短径長孔部３６ａｂとから揺動規制手段８１を構成し、更に、上部扁平軸３７の真円部と下側の長孔３６ａにより、長径長孔部３６ａａでの上部扁平軸３７のガタツキを抑制するようにしてもよい。
【００７７】
〔４〕図２５に示すように、分割苗載部１５Ｂが適正揺動操作位置Ｐ２に到達した際に、連結機構３４の固定部材３５に装備する支軸３７に作用して、支軸３７を可動部材３６における上下の長孔３６ａの右端部ａに保持することにより、分割苗載部１５Ｂの揺動操作中に分割苗載部１５Ｂが不測に摺動変位することを抑制する板バネからなる保持手段８５を可動部材３６に装備するようにしてもよい。
【００７８】
〔５〕図２６及び図２７に示すように、上下の連結機構３４を、平行四連リンクとして機能するように、各連結機構３４の揺動支点位置（支軸３７の位置）及び分割苗載部１５Ｂとの連結支点位置（支軸３８の位置）を、上側の連結機構３４と上側の連結機構３４とで異ならせることにより、分割苗載部１５Ｂを揺動操作する際の安定性を確保するようにしてもよい。
【００７９】
〔６〕連結機構３４としては、固定部材３５に長孔を形成し、可動部材３６に支軸３７を備えたものであってもよい。
【産業上の利用可能性】
【００８０】
本発明に係る田植機の苗載台支持構造は、乗用田植機や歩行田植機などに適用することができる。
【符号の説明】
【００８１】
１５      苗載台
１５Ａ    主苗載部
１５Ｂ    分割苗載部
１５ａ    苗載面
３０      支持部材
３４      連結機構
３５      固定部材
３５Ａ    支持部
３６      可動部材
３６Ａ    被支持部
３６Ｂ    切欠部
３７      支軸
６０      変位操作手段
８０      揺動許容手段
８１      揺動規制手段
８２      案内手段
８５      保持手段
Ｐ０      連接位置
Ｐ１      適正揺動支点位置
Ｐ２      適正揺動操作位置
Ｐ３      揺動許容位置
Ｐａ      境界位置
ａ        当接部
【図１】
2013208099.tif 000003
【図２】
2013208099.tif 000004
【図３】
2013208099.tif 000005
【図４】
2013208099.tif 000006
【図５】
2013208099.tif 000007
【図６】
2013208099.tif 000008
【図７】
2013208099.tif 000009
【図８】
2013208099.tif 000010
【図９】
2013208099.tif 000011
【図１０】
2013208099.tif 000012
【図１１】
2013208099.tif 000013
【図１２】
2013208099.tif 000014
【図１３】
2013208099.tif 000015
【図１４】
2013208099.tif 000016
【図１５】
2013208099.tif 000017
【図１６】
2013208099.tif 000018
【図１７】
2013208099.tif 000019
【図１８】
2013208099.tif 000020
【図１９】
2013208099.tif 000021
【図２０】
2013208099.tif 000022
【図２１】
2013208099.tif 000023
【図２２】
2013208099.tif 000024
【図２３】
2013208099.tif 000025
【図２４】
2013208099.tif 000026
【図２５】
2013208099.tif 000027
【図２６】
2013208099.tif 000028
【図２７】
2013208099.tif 000029